(57)【要約】【課題】  移動体通信端末におけるアラーム機能の利便性を向上させる。【解決手段】  経路検索サービスを提供するサービス提供装置２００は、検索した経路について、出発地点の出発時刻、乗換地点への到着時刻、目的地点への到着時刻などといった複数の時刻情報を抽出し、これらを引数としたタグコマンドを記述した検索結果ページを作成する。作成された検索結果ページは、ＩＰ網４０や移動体通信網１０を介して移動体通信端末１００に送信され、移動体通信端末１００で表示される。移動体通信端末１００は、検索結果ページに引数として記述されている複数の時刻情報を選択可能に表示する。ユーザが所望する時刻情報を選択すると、移動体通信端末１００は、選択された時刻情報をアラーム機能のアラーム設定時刻として自動的に設定して記憶装置に格納する。移動体通信端末１００は、記憶装置に格納された設定情報に基づいてアラーム動作を実行する。【選択図】  図１
2007081693.tif 000002
【特許請求の範囲】
【請求項１】
通信ネットワークを介したサービス提供をおこなうサービス提供装置と、前記通信ネットワークを介して前記サービス提供装置にアクセス可能なアラーム機能を有する端末装置と、から構成されるアラーム設定支援システムであって、
前記サービス提供装置は、
複数の時刻情報を前記端末装置のアラーム機能で利用可能に記述したデータを作成するデータ作成手段と、
前記データ作成手段が作成したデータを、前記通信ネットワークを介して前記端末装置に送信する送信手段と、を備え、
前記端末装置は、
前記サービス提供装置が送信したデータを、前記通信ネットワークを介して受信する受信手段と、
前記受信手段が受信したデータに記述されている複数の時刻情報を、前記アラーム機能の設定時刻として設定するアラーム設定手段と、を備える、
ことを特徴とするアラーム設定支援システム。
【請求項２】
前記サービス提供装置は、データベースに蓄積された情報を用いた経路検索サービスを提供するものであり、
前記データ作成手段は、検索された経路における出発地点、乗換地点、目的地点に関する複数の時刻情報を、前記移動体通信端末のアラーム機能で利用可能に記述した検索結果ページを作成する、
ことを特徴とする請求項１に記載のアラーム設定支援システム。
【請求項３】
前記データ作成手段は、前記複数の時刻情報を引数としたタグコマンドを記述したデータを作成する、
ことを特徴とする請求項１または２に記載のアラーム設定支援システム。
【請求項４】
設定された時刻情報に基づいてアラーム動作をおこなうアラーム機能と、通信ネットワークを介した通信をおこなう通信機能とを有する端末装置であって、
前記通信機能により、複数の時刻情報が引数として記述されたデータを取得するデータ取得手段と、
前記データ取得手段が取得したデータに引数として記述されている前記時刻情報を、前記アラーム機能の設定時刻として設定するアラーム設定手段と、
を備えることを特徴とする端末装置。
【請求項５】
前記データ取得手段が取得したデータで引数として記述されている前記複数の時刻情報を選択可能に表示装置に表示する表示制御手段をさらに備え、
前記アラーム設定手段は、選択された時刻情報を前記アラーム機能の設定時刻として設定する、
ことを特徴とする請求項４に記載の端末装置。
【請求項６】
前記アラーム設定手段が設定した設定時刻情報を格納するアラーム設定格納手段と、
前記アラーム設定手段が設定した設定時刻の変更指示を受け付ける指示受付手段と、をさらに備え、
前記アラーム設定手段は、前記指示受付手段が受け付けた変更指示に基づいて、前記アラーム設定格納手段に格納されている設定時刻情報を更新する、
ことを特徴とする請求項４または５に記載の端末装置。
【請求項７】
前記データ取得手段は、前記通信ネットワークを介して経路検索サービスを提供するサービス提供装置から、検索された経路に関する複数の時刻情報が引数として記述された検索結果データを取得する、
ことを特徴とする請求項４乃至６のいずれか１項に記載の端末装置。
【請求項８】
通信ネットワークを介して端末装置に経路検索サービスを提供するサービス提供装置であって、
少なくとも時刻情報を含む経路検索に必要な情報を蓄積するデータベース手段と、
前記通信ネットワークを介した前記端末装置からの要求に応じて、前記データベース手段に蓄積された情報に基づいた経路検索をおこなう検索手段と、
前記検索手段による検索結果から複数の時刻情報を抽出する時刻情報抽出手段と、
前記時刻情報抽出手段が抽出した時刻情報を、前記端末装置のアラーム機能で利用可能に記述した検索結果データを作成するデータ作成手段と、
前記データ作成手段が作成した検索結果データを、前記通信ネットワークを介して前記端末装置に送信する送信手段と、
を備えることを特徴とするサービス提供装置。
【請求項９】
少なくとも、通信ネットワークを介した通信をおこなう通信機能と、設定された時刻情報に基づいたアラーム動作をおこなうアラーム機能と、を有する端末装置を制御するコンピュータに、
前記通信機能により、経路検索サービスを提供するサービス提供装置から、複数の時刻情報が引数として記述された検索結果ページを受信する機能と、
受信した前記検索結果ページを表示するとともに、引数として記述された前記複数の時刻情報が選択可能に表示されるよう表示制御する機能と、
選択された時刻情報を前記アラーム機能の設定時刻として設定する機能と、
前記アラーム機能の設定時刻として設定された時刻情報を記憶装置に格納する機能と、
前記設定時刻の変更指示を受け付ける機能と、
受け付けた変更指示に基づいて、前記記憶装置に格納されている時刻情報を更新する機能と、
を実現させることを特徴とするプログラム。
【請求項１０】
通信ネットワークを介して端末装置に経路検索サービスを提供するコンピュータに、
検索した経路における出発地点、乗換地点、目的地点に関する複数の時刻情報をデータベースから取得する機能と、
取得した前記複数の時刻情報を、前記端末装置のアラーム機能で利用可能に記述した検索結果ページを作成する機能と、
作成した前記検索結果ページを、前記通信ネットワークを介して前記端末装置に送信する機能と、
を実現させることを特徴とするプログラム。
【発明の詳細な説明】
【技術分野】
【０００１】
本発明は、アラーム設定支援システム、端末装置、サービス提供装置、および、プログラムに関し、特に、移動体通信端末におけるアラーム機能の利便性向上に好適なアラーム設定支援システム、端末装置、サービス提供装置、および、プログラムに関する。
【背景技術】
【０００２】
インターネットを用いたサービスとして経路検索サービスが知られている。この経路検索サービスは、ユーザが指定した出発地から目的地までの経路を検索してユーザに提示するものであり、通常、鉄道路線などを利用した経路が示される。このサービスにより、日常的に利用しない路線を使用する場合や、目的地が初めて訪れる場所であっても、効率的な経路を容易に知ることができる。
【０００３】
近時では、携帯電話などの移動体通信端末においても、インターネットで提供される種々のサービスを利用することができる。これにより、外出先などでも経路検索サービスを利用することができるので、ユーザの場所に制限されることなく、より便利に経路検索サービスを利用することができる。
【０００４】
しかしながら、検索結果を表示している時に他の機能（例えば、通話機能）を使用する必要性が発生する場合や通信料の問題などにより、検索結果画面を常に表示させておくことができない場合もある。このため、移動体通信端末を用いた場合であっても、検索結果の内容をユーザが記憶しておくかメモを取っておく必要があった。
【０００５】
このような不都合を解消するため、検索結果における出発時刻を携帯端末のアラーム設定時刻にする手法が提案されている（例えば、特許文献１）。
【特許文献１】特開２００３−２４２２１６号公報
【発明の開示】
【発明が解決しようとする課題】
【０００６】
しかしながら、経路検索を利用する場面は、日常的に利用しない路線を使用する場合や、初めて訪れる場所を目的地とする場合などが多いことから、検索結果に示される経路（路線）についてユーザが不慣れであることが多い。このような場合、出発時刻のみがアラーム設定される特許文献１の手法は、ユーザにとって利便性に欠けるものであるといえる。つまり、検索結果に乗換駅や目的駅が示されても、不慣れな路線では、乗車中にそれらの駅に到着したことに気づかずに乗り過ごしてしまうことも考えられるが、出発時刻のアラーム報知だけではこのような事態には対応することができない。よって、乗換駅や目的駅などへの到着も知らせることのできる、より利便性の高い手法の確立が望まれる。
【０００７】
本発明は、上記実状に鑑みてなされたものであり、移動体通信端末などの端末装置におけるアラーム機能の利便性向上に好適なアラーム設定支援システム等を提供することを目的とする。
【課題を解決するための手段】
【０００８】
上記目的を達成するため、本発明の第１の観点にかかるアラーム設定支援システムは、
通信ネットワークを介したサービス提供をおこなうサービス提供装置と、前記通信ネットワークを介して前記サービス提供装置にアクセス可能なアラーム機能を有する端末装置と、から構成されるアラーム設定支援システムであって、
前記サービス提供装置は、
複数の時刻情報を前記端末装置のアラーム機能で利用可能に記述したデータを作成するデータ作成手段と、
前記データ作成手段が作成したデータを、前記通信ネットワークを介して前記端末装置に送信する送信手段と、を備え、
前記端末装置は、
前記サービス提供装置が送信したデータを、前記通信ネットワークを介して受信する受信手段と、
前記受信手段が受信したデータに記述されている複数の時刻情報を、前記アラーム機能の設定時刻として設定するアラーム設定手段と、を備える、
ことを特徴とする。
【０００９】
上記サービス提供装置は、データベースに蓄積された情報を用いた経路検索サービスを提供するものであり、この場合、
前記データ作成手段は、検索された経路における出発地点、乗換地点、目的地点に関する複数の時刻情報を、前記移動体通信端末のアラーム機能で利用可能に記述した検索結果ページを作成することが望ましい。
【００１０】
上記アラーム設定支援システムにおいて、
前記データ作成手段は、前記複数の時刻情報を引数としたタグコマンドを記述したデータを作成することが望ましい。
【００１１】
上記目的を達成するため、本発明の第２の観点にかかる端末装置は、
設定された時刻情報に基づいてアラーム動作をおこなうアラーム機能と、通信ネットワークを介した通信をおこなう通信機能とを有する端末装置であって、
前記通信機能により、複数の時刻情報が引数として記述されたデータを取得するデータ取得手段と、
前記データ取得手段が取得したデータに引数として記述されている前記時刻情報を、前記アラーム機能の設定時刻として設定するアラーム設定手段と、
を備えることを特徴とする。
【００１２】
上記端末装置は、
前記データ取得手段が取得したデータで引数として記述されている前記複数の時刻情報を選択可能に表示装置に表示する表示制御手段をさらに備えていることが望ましく、この場合、
前記アラーム設定手段は、選択された時刻情報を前記アラーム機能の設定時刻として設定することが望ましい。
【００１３】
上記端末装置は、
前記アラーム設定手段が設定した設定時刻情報を格納するアラーム設定格納手段と、
前記アラーム設定手段が設定した設定時刻の変更指示を受け付ける指示受付手段と、をさらに備えていることが望ましく、この場合、
前記アラーム設定手段は、前記指示受付手段が受け付けた変更指示に基づいて、前記アラーム設定格納手段に格納されている設定時刻情報を更新することが望ましい。
【００１４】
上記端末装置において、
前記データ取得手段は、前記通信ネットワークを介して経路検索サービスを提供するサービス提供装置から、検索された経路に関する複数の時刻情報が引数として記述された検索結果データを取得することが望ましい。
【００１５】
上記目的を達成するため、本発明の第３の観点にかかるサービス提供装置は、
通信ネットワークを介して端末装置に経路検索サービスを提供するサービス提供装置であって、
少なくとも時刻情報を含む経路検索に必要な情報を蓄積するデータベース手段と、
前記通信ネットワークを介した前記端末装置からの要求に応じて、前記データベース手段に蓄積された情報に基づいた経路検索をおこなう検索手段と、
前記検索手段による検索結果から複数の時刻情報を抽出する時刻情報抽出手段と、
前記時刻情報抽出手段が抽出した時刻情報を、前記端末装置のアラーム機能で利用可能に記述した検索結果データを作成するデータ作成手段と、
前記データ作成手段が作成した検索結果データを、前記通信ネットワークを介して前記端末装置に送信する送信手段と、
を備えることを特徴とする。
【００１６】
上記目的を達成するため、本発明の第４の観点にかかるプログラムは、
少なくとも、通信ネットワークを介した通信をおこなう通信機能と、設定された時刻情報に基づいたアラーム動作をおこなうアラーム機能と、を有する端末装置を制御するコンピュータに、
前記通信機能により、経路検索サービスを提供するサービス提供装置から、複数の時刻情報が引数として記述された検索結果ページを受信する機能と、
受信した前記検索結果ページを表示するとともに、引数として記述された前記複数の時刻情報が選択可能に表示されるよう表示制御する機能と、
選択された時刻情報を前記アラーム機能の設定時刻として設定する機能と、
前記アラーム機能の設定時刻として設定された時刻情報を記憶装置に格納する機能と、
前記設定時刻の変更指示を受け付ける機能と、
受け付けた変更指示に基づいて、前記記憶装置に格納されている時刻情報を更新する機能と、
を実現させることを特徴とする。
【００１７】
上記目的を達成するため、本発明の第５の観点にかかるプログラムは、
通信ネットワークを介して端末装置に経路検索サービスを提供するコンピュータに、
検索した経路における出発地点、乗換地点、目的地点に関する複数の時刻情報をデータベースから取得する機能と、
取得した前記複数の時刻情報を、前記端末装置のアラーム機能で利用可能に記述した検索結果ページを作成する機能と、
作成した前記検索結果ページを、前記通信ネットワークを介して前記端末装置に送信する機能と、
を実現させることを特徴とする。
【発明の効果】
【００１８】
本発明によれば、端末装置のアラーム機能で利用可能に記述された複数の時刻情報に基づいて、端末装置が複数の時刻情報を自動的にアラーム設定することができる。
【発明を実施するための最良の形態】
【００１９】
以下、図面を参照して本発明にかかる実施形態を説明する。図１は、本実施形態にかかるアラーム設定支援システム１の構成を示す図である。図示するように、本実施形態にかかるアラーム設定支援システム１は、主に、移動体通信端末１００と、サービス提供装置２００と、から構成され、移動体通信端末１００とサービス提供装置２００とは、移動体通信網１０、ゲートウェイ（ＧＷ）２０、基地局３０、ＩＰ網４０を介して相互接続されている。
【００２０】
移動体通信網１０は、例えば、移動体通信端末１００に通信サービスを提供する事業体（いわゆる、キャリア）により提供される通信ネットワークであり、移動体通信端末１００との無線通信をおこなう各基地局３０を接続することで、移動体通信端末１００によるモバイル通信を可能とするものである。
【００２１】
また、ＩＰ網４０は、例えば、インターネットなどといった、ＩＰ（Internet Protocol）に基づく通信をおこなうための通信ネットワークである。また、ゲートウェイ２０は、移動体通信網１０とＩＰ網４０との間に介在し、各ネットワーク間でのプロトコル変換等をおこなうことで、移動体通信網１０とＩＰ網４０とを介した通信を実現する。
【００２２】
ここで、本実施形態にかかる移動体通信端末１００は、例えば、携帯電話やＰＨＳ（Personal Handyphone System）などといった移動体通信用の端末装置（電話機）であり、ＩＰなどのプロトコルを用いてＩＰ網４０を介した通信（以下、「ＩＰ通信」という）が可能な通信端末である。
【００２３】
このような移動体通信端末１００の構成を説明する。本実施形態にかかる移動体通信端末１００は、基本機能である音声通話機能の他に、ＩＰ網４０を介したＩＰ通信によるデータ通信機能を有する。より詳細には、いわゆるブラウザ機能により、ＩＰ網４０を介して提供されるウェブページにアクセスする機能を有しているものである。
【００２４】
このような移動体通信端末１００の構成を、図２を参照して説明する。図２は移動体通信端末１００の構成を示すブロック図である。
【００２５】
図示するように、本実施形態にかかる移動体通信端末１００は、制御部１１０、無線通信部１２１、アンテナ１２２、データ通信制御部１２３、音声通信制御部１２４、操作部１３１、操作制御部１３２、表示制御部１４１、表示部１４２、音声処理部１５０、記憶部１６０、などから構成される。
【００２６】
また、制御部１１０は、記憶部１６０に格納されているプログラムの実行により、ウェブブラウザ部１１１、通話処理部１１２、アラーム処理部１１３、などとして機能する。また、記憶部１６０には、アラーム設定格納部１６１などの記憶領域が構成される。これらの構成の詳細は後述する。
【００２７】
制御部１１０は、例えば、ＣＰＵ（Central Processing Unit：中央演算処理装置）などから構成され、移動体通信端末１００の各部を制御する。すなわち、以下に示す移動体通信端末１００の各構成は制御部１１０によって制御されるとともに、各構成間の情報伝達などは制御部１１０を介しておこなわれる。このような制御は、制御部１１０が実行する所定の動作プログラムに基づいておこなわれるものである。
【００２８】
無線通信部１２１は、例えば、所定の無線通信回路などから構成され、アンテナ１２２を介して基地局３０との無線通信をおこなう。
【００２９】
データ通信制御部１２３および音声通信制御部１２４は、例えば、所定の送受信回路などから構成され、無線通信部１２１との協働により、移動体通信端末１００の送受信動作をおこなう。データ通信制御部１２３は、移動体通信端末１００のデータ通信機能におけるデータ通信の送受信動作をおこない、音声通信制御部１２４は、移動体通信端末１００の音声通話機能における音声通信をおこなう。
【００３０】
操作部１３１は、移動体通信端末１００の外面上に構成された所定のボタンやキーなどから構成され、移動体通信端末１００のユーザによって操作される。操作制御部１３２は、所定の入力回路などから構成され、操作部１３１の操作に応じた入力信号を生成し、制御部１１０に入力する。
【００３１】
表示制御部１４１は、所定の表示制御回路などから構成され、制御部１１０からの出力信号に基づいて表示部１４２を制御し、表示部１４２に画像を表示させる。表示部１４２は、例えば、液晶表示装置などから構成され、表示制御部１４１の制御によって画像を表示出力する。
【００３２】
音声処理部１５０は、例えば、所定のコーデック回路などから構成され、移動体通信端末１００の通話機能にかかる音声の処理をおこなう。すなわち、音声通信制御部１２４により受信されたデジタル音声データをアナログ音声信号に変換して、スピーカ１５１から出力するとともに、マイクロフォン１５２から入力されたユーザの発話音声をデジタル音声データに変換する。
【００３３】
本実施形態にかかる音声処理部１５０は、通話機能に関する音声処理の他、移動体通信端末１００のアラーム機能に関する音声処理をおこなうものとする。すなわち、アラーム処理部１１３（詳細後述）の制御により、アラーム実行時の報音動作をおこなう。本実施形態では、アラーム音を示す音声データが記憶部１６０に格納されているものとし、アラーム処理部１１３の制御により、音声処理部１５０がアラーム音の音声データを再生してスピーカ１５１から出力することで、アラーム動作がおこなわれる。
【００３４】
記憶部１６０は、例えば、ＲＯＭ（Read Only Memory）やフラッシュメモリなどの記憶装置から構成され、制御部１１０が実行する動作プログラムを格納する他、本発明を実現するために必要な種々のデータを格納する。
【００３５】
上述したように、記憶部１６０に格納されているプログラムを制御部１１０が実行することで、制御部１１０がウェブブラウザ部１１１、通話処理部１１２、アラーム処理部１１３、として機能する。これらの機能構成の詳細を以下説明する。
【００３６】
ウェブブラウザ部１１１は、データ通信制御部１２３との協働により、移動体通信端末１００をウェブブラウザとして機能させる。すなわち、ＨＴＴＰ（Hyper Text Transfer Protocol）などのインターネット技術にかかるプロトコルに基づく動作をおこなうことで、ＩＰ網４０を介してのウェブページアクセスをおこない、表示制御部１４１との協働により、アクセスしたウェブページを表示部１４２に表示させる。
【００３７】
なお、ウェブブラウザ部１１１は、ウェブアクセスに必要な情報（例えば、アクセス先ウェブページのＵＲＬ（Uniform Resource Locator）など）を記憶部１６０に随時格納し、必要に応じて記憶部１６０から取得する。本実施形態では、サービス提供装置２００が提供する経路検索サービスのウェブサイト（以下、「経路検索サイト」とする）についてのＵＲＬなどが予め記憶部１６０に格納されているものとする。
【００３８】
通話処理部１１２は、音声通信制御部１２４と音声処理部１５０を制御し、これらとの協働により、移動体通信端末１００の通話機能による音声通話にかかる動作をおこなう。
【００３９】
アラーム処理部１１３は、移動体通信端末１００のアラーム機能に関する動作をおこなう。本実施形態では、設定された時刻に所定の音声をスピーカ１５１から出力するアラーム機能を移動体通信端末１００が有しているものとし、アラーム処理部１１３は、アラーム機能における時刻設定などの動作をおこなう。本実施形態では、サービス提供装置２００が提供する検索サービスとの連動によってアラーム設定をおこなうものとする。そして、アラーム処理部１１３によるアラーム設定に関する設定情報は、記憶部１６０のアラーム設定格納部１６１に格納される。
【００４０】
また、アラーム処理部１１３は、アラーム設定格納部１６１に格納されている設定情報に基づいて、アラーム動作を実行する。この場合、制御部１１０が有するタイマ回路の動作などによって取得される現在時刻情報に基づいて、アラーム設定格納部１６１に格納されている設定情報が示すアラーム時刻となったときに、音声処理部１５０を制御してアラーム音の再生・出力を実行させる。
【００４１】
以上の構成のうち、例えば、データ通信制御部１２３、音声通信制御部１２４、操作制御部１３２、表示制御部１４１、音声処理部１５０などは、ＡＳＩＣ（Application Specific Integrated Circuit：特定用途向け集積回路）などの専用回路によって物理的に構成することができる他、例えば、制御部１１０が動作プログラムを実行することによって論理的に構成されてもよい。
【００４２】
次にサービス提供装置２００について説明する。サービス提供装置２００は、例えば、メインフレームやワークステーションなどといった情報処理装置やデータベース装置などから構成され、少なくとも、入力装置、制御装置、記憶装置、出力装置、などを備えているものとする。サービス提供装置２００は、インターネットなどのＩＰ網４０を介したウェブサイトによるサービスを提供するサーバ（いわゆる、ウェブサーバ）であり、本実施形態では、交通機関を利用する際の経路を検索するサービス（以下、「経路検索サービス」とする）を提供する。このようなサービス提供装置２００の構成を、図３を参照して説明する。図３は、サービス提供装置２００の構成を示すブロック図である。
【００４３】
図示するように、サービス提供装置２００は、通信部２１０、経路情報データベース２２０、データベース検索部２３０、時刻情報抽出部２４０、ページ作成部２５０、などから構成されている。なお、これらの各構成は、サービス提供装置２００の制御装置（例えば、ＣＰＵ（Central Processing Unit：中央演算処理装置）など）によって制御されているものとする。すなわち、サービス提供装置２００の各構成の動作を制御するためのプログラムを制御装置が実行することで、サービス提供装置２００の各構成が制御され、後述する処理が実現される。なお、サービス提供装置２００の動作を制御するためのプログラムは、サービス提供装置２００の記憶装置（例えば、ハードディスク装置など）に格納されているものとし、このような記憶装置に格納されているプログラムを制御装置が実行する。サービス提供装置２００の各構成の詳細を以下説明する。
【００４４】
通信部２１０は、例えば、ＮＩＣ（Network Interface Card）やルータなどといった所定の通信装置から構成され、サービス提供装置２００とＩＰ網４０とを接続して通信をおこなう。
【００４５】
経路情報データベース２２０は、例えば、ハードディスク装置などといった所定の記憶装置から構成されたデータベースであり、サービス提供装置２００が提供する経路検索サービスの提供に必要なデータを蓄積する。本実施形態では、交通機関を利用する際の経路検索サービスを提供するので、経路情報データベース２２０には、交通機関の経路情報や時刻情報が蓄積される。本実施形態では、鉄道路線の経路検索サービスを提供する場合を例として以下説明することとする。よって、経路情報データベース２２０には、少なくとも、鉄道路線に関する路線情報が蓄積されているものとする。この路線情報は、サービス対象となる鉄道路線についての時刻表情報などに基づくものであり、各路線の駅名情報、列車種別毎の所要時間情報や料金情報、列車種別毎の停車駅発着時刻情報、などが含まれる。
【００４６】
データベース検索部２３０は、経路情報データベース２２０にアクセスし、必要な情報の検索をおこなう。本実施形態においては、移動体通信端末１００から入力される出発地および到着地などを示す検索条件情報に基づいて、当該条件に該当する経路を検索する。
【００４７】
時刻情報抽出部２４０は、データベース検索部２３０が検索した経路に関連する複数の時刻情報を経路情報データベース２２０から抽出する。本実施形態では、少なくとも、出発地点（出発駅）における列車の発車時刻と目的地点（目的駅）における列車の到着時刻を示す時刻情報を抽出する。また、複数の路線の乗り換えが必要となる経路が検索された場合には、乗換地点（乗換駅）への到着時刻を示す時刻情報を抽出する。
【００４８】
ページ作成部２５０は、経路検索サービスを提供するためのウェブページを作成する。このページ作成部２５０は、いわゆるウェブサーバエンジンであり、データベース検索部２３０や時刻情報抽出部２４０との協働によって動的にウェブページを作成する。この場合、例えば、ＣＧＩ（Common Gateway Interface）やＡＳＰ（Active Server Pages）、ＳＳＩ（Server Side Include）などといったウェブサーバ技術を用いることで、経路情報データベース２２０と連動した動的なウェブページ作成をおこなう。また、通信部２１０との協働により、要求元の移動体通信端末１００に作成したウェブページを構成するウェブページデータを送信し、当該移動体通信端末１００に経路検索サービスが提供される。
【００４９】
本実施形態では、ページ作成部２５０によって、経路検索サイトを構成する種々のウェブページが作成される。そのうち、検索結果を示すウェブページ（検索結果ページ）を作成する場合は、データベース検索部２３０が検索した経路情報や時刻情報抽出部２４０によって抽出された時刻情報などを、例えば、ＨＴＭＬ（Hyper Text Markup Language）やＣ−ＨＴＭＬ（Compact HTML）などといった所定のマークアップ言語などに基づいたウェブページデータを生成することで検索結果ページを作成する。この場合において、ページ作成部２５０は、時刻情報抽出部２４０が抽出した複数の時刻情報を、移動体通信端末１００のアラーム機能で利用可能となるように記述する。本実施形態では、複数の時刻情報を引数とした所定のタグコマンド（アンカータグ）によって記述するものとする。
【００５０】
以上のような構成の移動体通信端末１００およびサービス提供装置２００を用いるアラーム設定支援システム１の動作を以下説明する。本実施形態では、移動体通信端末１００を用いてサービス提供装置２００にアクセスし、鉄道路線の経路検索サービスを利用する場合における、サービス提供装置２００および移動体通信端末１００が実行する処理を以下説明する。
【００５１】
図４に示すフローチャートを参照して、移動体通信端末１００とサービス提供装置２００とがセッションをおこなう際にそれぞれが実行する処理を説明する。ここで、移動体通信端末１００が実行する処理をサービス利用処理とし、サービス提供装置２００が実行する処理をサービス提供処理とする。
【００５２】
経路検索サービスのためのセッションは、移動体通信端末１００がサービス提供装置２００にアクセスすることから始まる。よって、まず移動体通信端末１００によりサービス利用処理が開始される。このサービス利用処理は、ユーザの操作により、ウェブブラウザ部１１１により、移動体通信端末１００のウェブブラウザ機能が起動し、サービス提供装置２００が提供する経路検索サイトへのアクセスをユーザが指示したことを契機に開始されるものとする。なお、サービス提供装置２００によるサービス提供処理は随時実行されているものとし、移動体通信端末１００などからのアクセスを受け付ける。
【００５３】
サービス利用処理が開始されると、記憶部１６０に格納してあるＵＲＬ情報に基づいたデータ通信制御部１２３と無線通信部１２１の動作により、移動体通信網１０およびＩＰ網４０を介して、サービス提供装置２００の経路検索サイトにアクセスする（ステップＳ１０１）。
【００５４】
サービス提供装置２００では、通信部２１０が移動体通信端末１００からのアクセスを受け付けると、ページ作成部２５０が経路検索条件を入力するための条件入力ページを作成し、当該ウェブページを構成するウェブページデータを通信部２１０が移動体通信端末１００に送信する（ステップＳ２０１）。
【００５５】
移動体通信端末１００では、無線通信部１２１およびデータ通信制御部１２３の動作により、サービス提供装置２００が送信した条件入力ページを、ＩＰ網４０および移動体通信網１０を介して受信し、ウェブブラウザ部１１１の動作により、受信した条件入力ページが表示部１４２に表示される（ステップＳ１０２）。
【００５６】
ここで、条件入力ページは、経路検索の条件を入力するページであり、少なくとも、出発駅の駅名情報と目的駅の駅名情報を入力できるページ構成を有していることとする。また、これらの必須情報に加え、例えば、希望出発日時や希望到着日時などが入力可能であってもよい。
【００５７】
移動体通信端末１００のユーザは、操作部１３１を操作して、所望する検索条件を入力するとともに、入力内容を確定するための所定の操作をおこなう。この操作により、ユーザが入力した検索条件を示す情報が、操作制御部１３２によって制御部１１０に入力される。
【００５８】
操作制御部１３２から検索条件が入力されると（ステップＳ１０３：Ｙｅｓ）、ウェブブラウザ部１１１の動作により、データ通信制御部１２３および無線通信部１２１が、入力された検索条件情報をサービス提供装置２００に送信する（ステップＳ１０４）。
【００５９】
サービス提供装置２００では、移動体通信端末１００が送信した検索条件情報を通信部２１０が受信すると（ステップＳ２０２）、データベース検索部２３０が経路情報データベース２２０にアクセスし、受信した検索条件情報に該当する経路情報を検索する（ステップＳ２０３）。ここでは、経路情報データベース２２０に格納されている時刻表情報などに基づいて、入力された出発駅から目的駅までの最適な路線を選択する。なお、この経路検索の動作は、従来からの周知技術を用いるものとする。
【００６０】
データベース検索部２３０によって経路が選択されると、時刻情報抽出部２４０が、当該経路に関する複数の時刻情報を抽出する（ステップＳ２０４）。複数の時刻情報には、少なくとも、検索された経路における出発駅での出発時刻と目的駅での到着時刻が含まれる。また、複数の路線を乗り継ぐ経路である場合は、各乗換駅における到着時刻と出発時刻が抽出される。本実施形態では、複数の路線を乗り継ぐ必要のある経路が選択された場合を例に以下説明することとする。
【００６１】
時刻情報抽出部２４０により複数の時刻情報が抽出されると、データベース検索部２３０が検索した経路と時刻情報抽出部２４０が抽出した時刻情報とを含んだ検索結果ページをページ作成部２５０が作成する（ステップＳ２０５）。この場合、検索結果ページには、出発駅、乗換駅、および、目的駅を示す情報の他、各路線の路線名や列車種別名、総所要時間や路線毎の所要時間、および、乗車料金などを示す情報が含まれるとともに、時刻情報抽出部２４０が抽出した複数の時刻情報が、駅名や路線名などに対応づけられる。
【００６２】
時刻情報抽出部２４０が抽出した複数の時刻情報のうちの所定の時刻情報については、移動体通信端末１００のアラーム機能で利用可能となるように検索結果ページに含ませることとする。本実施形態では、少なくとも、出発駅での出発時刻、乗換駅への到着時刻、および、目的駅への到着時刻を示す時刻情報を、移動体通信端末１００のアラーム機能と連動させる時刻情報（以下、「アラーム対象」という）とする。
【００６３】
このようなアラーム対象となる時刻情報は、移動体通信端末１００のアラーム機能と連動させるための所定のタグコマンド（アンカータグ）によって記述される。本実施形態では、例えば、図７に示すような記述方法によって、アラーム対象となる時刻情報が検索結果ページに埋め込まれるものとする。図示するように、本実施形態では、移動体通信端末１００のアラーム機能と連動させるためのアンカータグとして、例えば、ＨＴＭＬにおけるリンク属性を示すタグコマンド「HREF」の属性として記述されるタグコマンド「alarm」（以下、「アラームタグ」とする）を設定し、図７に示すような書式によって、アラーム対象として不可視的に埋め込まれる時刻情報（以下、「設定用時刻情報」とする）と、検索結果ページ上で可視的に表示させる時刻を示す文字列（以下、「表示用時刻情報」とする）とを記述する。この場合において、少なくとも、設定用時刻情報は２４時間表記の数値情報で記述することとする。なお、表示用時刻情報は任意の表記方式による文字列によって構成され、時刻を示す文字列の他に、例えば、出発時刻を示すものであれば「発」、到着時刻を示すものであれば「着」などの文字列を含んで記述される。
【００６４】
このようにして、ページ作成部２５０によって検索結果ページが作成されると、通信部２１０が、そのウェブページデータを移動体通信端末１００に送信する（ステップＳ２０６）。
【００６５】
サービス提供装置２００が検索結果ページを送信すると、移動体通信端末１００の無線通信部１２１およびデータ通信制御部１２３が受信し、受信した検索結果ページがウェブブラウザ部１１１によって表示部１４２に表示される（ステップＳ１０５）。
【００６６】
ここで、ウェブブラウザ部１１１は、受信した検索結果ページのウェブページデータに、アラームタグ（タグコマンド「alarm」）が含まれているか否かを判別し（ステップＳ１０６）、アラームタグが含まれていない場合（ステップＳ１０６：Ｎｏ）は、処理を終了する。この場合、検索結果ページの表示をもって処理が終了することとなる。
【００６７】
一方、検索結果ページを構成するウェブページデータにアラームタグが含まれている場合（ステップＳ１０６：Ｙｅｓ）、ウェブブラウザ部１１１はその旨をアラーム処理部１１３に通知する。アラーム処理部１１３は、ウェブブラウザ部１１１からの通知に応じて、検索結果ページに示されている時刻情報に基づいてアラーム設定するためのアラーム設定処理を開始する（ステップＳ３００）。このアラーム設定処理の詳細を、図５に示すフローチャートを参照して説明する。なお、このアラーム設定処理は、アラーム処理部１１３とウェブブラウザ部１１１の協働により実行されるものとする。
【００６８】
アラーム設定処理が開始されると、ウェブブラウザ部１１１は、検索結果ページのウェブページデータに記述されているアラームタグに基づいた表示制御をおこなう。ここでは、アラーム対象時刻のうちのいずれかがデフォルトで指定可能となるように表示させる（ステップＳ３０１）。この場合の表示例を図８（ａ）に示す。図８（ａ）は、ステップＳ１０５で表示した検索結果ページにステップＳ３０１の表示制御がされた状態を示す。図８（ａ）に示す検索結果ページは、出発駅「Ａ駅」から目的駅「Ｃ駅」を検索条件とした場合に、乗換駅「Ｂ駅」を含む経路が検索結果として表示された例を示す。
【００６９】
ステップＳ３０１の表示制御として、本実施形態では、出発駅の出発時刻がデフォルトで指定可能となるように表示するものとする。この場合、図８（ａ）に示すように、出発駅であるＡ駅の出発時刻が反転表示されている。これは、ＨＴＭＬなどで記述されたウェブページにおいて、タグコマンド「HREF」で指定されたリンク先が選択された場合と同様の表示制御である。したがって、出発駅での出発時刻情報をデフォルトとした場合、経路検索ページが表示された時点で、出発駅での出発時刻が反転表示され、指定可能状態であることを示すことになる。
【００７０】
ここで、本実施形態では、図８（ａ）に示すように、検索結果ページにおける経路表示では、上から出発駅、乗換駅、目的駅の順に表示するものとする。したがって、このような検索結果ページを構成するウェブページデータでは、アラームタグが付された時刻情報も、出発駅の出発時刻、乗換駅の到着時刻、目的駅の到着時刻の順に記述されていることになる。本実施形態では、ウェブページデータ上で最初に現れるアラームタグで示される時刻情報をデフォルトの時刻情報とすることで、出発駅での出発時刻がデフォルトで指定可能に表示されるものとする。
【００７１】
上述したように、本実施形態では、複数の時刻情報（出発駅での出発時刻、乗換駅への到着時刻、目的駅への到着時刻）が、タグコマンド「HREF」内のアラームタグにより記述されているので、これらの各時刻情報は、ユーザの操作により選択可能に表示されることになる。この場合、例えば、移動体通信端末１００の操作部１３１に含まれるカーソルキー（十字キー）などを操作することで、各時刻情報を選択するものとする。すなわち、デフォルトである出発駅の出発時刻が指定可能に表示された図８（ａ）の状態から、カーソルキーを下方向に操作することで、図８（ｂ）に示すように、次のアラーム対象時刻である乗換駅の到着時刻が指定可能に反転表示されることになる。このようにして、移動体通信端末１００の操作部１３１の操作に応じて、検索結果ページ内の各アラーム対象時刻を任意に選択することができる。
【００７２】
また、図８（ａ）および図８（ｂ）に示すように、アラームタグで記述された時刻情報を含む検索結果ページでは、ページ下部に「アラーム設定」ボタンが表示される。このボタンは、操作部１３１の所定のキーもしくはボタンに割り当てられている。よって、いずれかのアラーム対象時刻情報が選択された状態で、「アラーム設定」ボタンに対応する操作部１３１を操作することで、当該時刻情報についてのアラーム設定動作がおこなわれることになる。
【００７３】
図５のフローチャートに戻り、このような操作がおこなわれたときの移動体通信端末１００の動作を説明する。ステップＳ３０１で出発駅の出発時刻が指定可能に反転表示され（図８（ａ））、この状態でユーザが操作部１３１のカーソルキーを操作すると、当該操作を示す信号が操作制御部１３２から制御部１１０に入力される。この場合、ウェブブラウザ部１１１は、カーソル操作がおこなわれたと判別し（ステップＳ３０２：Ｎｏ、Ｓ３０３：Ｙｅｓ）、操作に応じた他のアラーム対象時刻情報を指定可能に反転表示する（ステップＳ３０４、図８（ｂ））。
【００７４】
デフォルトの時刻情報が指定可能に反転表示された状態（ステップＳ３０１）、もしくは、カーソル操作に応じた時刻情報が指定可能に反転表示された状態（ステップＳ３０４）で、ユーザが操作部１３１を操作して「アラーム設定」ボタンを選択すると、当該操作を示す信号が操作制御部１３２から制御部１１０に入力される。この場合、ウェブブラウザ部１１１は、ユーザによりアラーム設定指示がされたと判別する（ステップＳ３０２：Ｙｅｓ）。
【００７５】
ユーザ操作によってアラーム設定指示がなされると、ウェブブラウザ部１１１は、その時に選択されていたアラームタグに基づいたアラーム設定動作をアラーム処理部１１３に対してコールする（ステップＳ３０６）。この場合、ウェブブラウザ部１１１は、当該アラームタグに記述されている設定用時刻情報を引数としてアラーム処理部１１３に通知する。
【００７６】
アラーム処理部１１３は、ウェブブラウザ部１１１から通知された設定用時刻情報をアラーム時刻として設定し（ステップＳ３０７）、アラーム設定格納部１６１に格納する（ステップＳ３０８）。すなわち、検索結果ページに含まれる時刻情報が自動的に移動体通信端末１００のアラーム時刻として設定される。
【００７７】
このようにして、検索結果ページに示されている時刻情報がアラーム時刻として自動的に設定されると、アラーム処理部１１３は、設定したアラーム時刻をユーザに調整・変更させるためのアラーム設定変更処理を実行する（ステップＳ４００）。このアラーム設定変更処理の詳細を、図６に示すフローチャートを参照して説明する。
【００７８】
処理が開始されると、アラーム処理部１１３は、設定されたアラーム時刻をユーザに調整させるための「アラーム時刻調整画面」を作成し、表示部１４２に表示する（ステップＳ４０１）。このアラーム時刻調整画面は、アラームによる事前通知をユーザが所望する場合などに、設定したアラーム時刻をユーザに調整させるための画面である。すなわち、図９（ａ）に示すように、ステップＳ３０７（図５）で設定されたアラーム時刻を表示するとともに、当該アラーム時刻の変更要否を選択するための表示がなされる。
【００７９】
ここで、アラーム時刻を変更する場合には、予め用意された事前通知時間かユーザによる任意指定が選択できるよう表示される。事前通知時間として、例えば、５分前や１０分前などが選択でき、任意指定の場合は、設定されたアラーム時刻の時および分のそれぞれを増減させることで指定することができる。
【００８０】
ユーザは操作部１３１を操作して所望する選択肢を選択する。ユーザは、検索結果ページに示されていた時刻（出発時刻や到着時刻）をそのままアラーム時刻としてよい場合は「変更しない」を選択する。一方、検索結果ページに示されていた時刻を事前通知したい場合は、予め用意された事前通知時間（例えば「５分前」など）を選択するか、任意指定により所望する時刻を指定する。任意指定の場合は、例えば、自動設定された時刻を操作部１３１の操作に応じて増減できるよう表示する。
【００８１】
そして、画面の下部に示されている「登録」ボタンに対応する操作部１３１を操作することで、アラーム時刻調整画面での選択内容が確定する。アラーム時刻調整画面の「登録」ボタンは、操作部１３１を構成している所定のキーもしくはボタンに割り当てられており、対応するキーもしくはボタンをユーザが操作することで、登録が指示されたことを示す信号が操作制御部１３２から制御部１１０に入力される。これにより、アラーム処理部１１３は、登録ボタンが指定されて選択内容が確定したと判別する（ステップＳ４０２：Ｙｅｓ）。
【００８２】
この場合、アラーム処理部１１３は、確定された選択内容に基づいて、ステップＳ３０７（図５）で設定したアラーム時刻に変更があったか否かを判別する（ステップＳ４０３）。すなわち、選択内容が「変更しない」であれば「変更なし」と判別し、それ以外の選択内容であれば「変更あり」と判別する。
【００８３】
変更ありと判別した場合（ステップＳ４０３：Ｙｅｓ）、アラーム処理部１１３はアラーム設定格納部１６１にアクセスし、ステップＳ３０８（図５）でアラーム設定格納部１６１に格納したアラーム時刻情報を変更後の時刻情報に更新し（ステップＳ４０４）、図５に示すアラーム設定処理のフローに戻る。
【００８４】
一方、変更なしと判別した場合（ステップＳ４０３：Ｎｏ）は、アラーム設定格納部１６１に格納した時刻情報の更新をおこなわずに、図５に示すアラーム設定処理のフローに戻る。
【００８５】
アラーム設定処理において、アラーム処理部１１３は、アラーム設定の設定内容をユーザに示すための「設定確認画面」を作成して表示部１４２に表示する（ステップＳ３０９）。この設定確認画面には、例えば、図９（ｂ）に示すように、アラーム設定変更処理（ステップＳ４００）での設定内容が示されるとともに、「ＯＫ」ボタンが表示される。
【００８６】
ユーザは、設定内容を確認したら、「ＯＫ」ボタンに対応する操作部１３１を操作する。ユーザが操作部１３１を操作すると、操作に応じた信号が操作制御部１３２から制御部１１０に入力される。アラーム処理部１１３は、この入力信号に基づいて、「ＯＫ」ボタンが選択されたと判別すると（ステップＳ３１０：Ｙｅｓ）、ステップＳ３０１に戻ることで上記処理が再度おこなわれ、アラームタグで記述された他の時刻情報をアラーム設定することができる。
【００８７】
すなわち、デフォルトの対象時刻が指定可能に表示された検索結果ページが再度表示部１４２に表示されるので、ユーザが操作部１３１のカーソルキーを操作することで（ステップＳ３０３：Ｙｅｓ）、他の対象時刻が指定可能に表示され（ステップＳ３０４）、「アラーム設定」ボタンに対応する操作部１３１を操作することで（ステップＳ３０２：Ｙｅｓ）、当該対象時刻をアラーム設定することができる（ステップＳ３０６〜）。
【００８８】
すなわち、検索ページに含まれている複数のアラーム対象時刻のうちでユーザが所望する時刻を任意にアラーム設定することができる。この場合も、当該時刻を指定するだけで自動的にアラーム設定され、必要に応じて、アラーム設定された時刻を調整することができる。複数のアラーム設定をおこなった場合、アラーム処理部１１３は、それぞれの時刻情報をアラーム設定格納部１６１に格納してアラーム設定をおこなうことになる。
【００８９】
一方、図９（ａ）に示した「メニュー」ボタンや「戻る」ボタンに対応する操作部１３１が操作されたことで、アラーム設定の終了が指示されたと判別した場合（ステップＳ３０５：Ｙｅｓ）、アラーム設定処理を終了し、図４に示すサービス利用処理のフローに戻る。この場合、アラーム設定処理の終了とともにサービス利用処理も終了することになる。
【００９０】
このようにして、アラーム時刻情報が設定情報としてアラーム設定格納部１６１に格納されると、この時刻情報に基づいてアラーム動作が実行されることになる。すなわち、現在時刻がアラーム時刻情報に示される時刻となったときに、アラーム処理部１１３が音声処理部１５０を制御してアラーム音を出力する。
【００９１】
以上のように、本実施形態にかかるアラーム設定支援システム１によれば、経路検索サービスを利用した際に、検索結果に示される複数の時刻情報をアラーム時刻として自動的に設定することができるので、アラーム設定にかかるユーザ作業が軽減され、迅速かつ正確なアラーム設定を容易におこなうことができる。
【００９２】
設定された時刻情報はアラーム設定格納部１６１に格納され、これに基づいて移動体通信端末１００のアラーム機能が動作することになる。この場合、検索結果ページから複数の時刻情報を設定することができるので、出発駅（出発地点）での出発時刻だけでなく、乗換駅（乗換地点）や目的駅（目的地点）への到着時刻などもアラーム通知させることができる。このように、出発時刻以外の時刻情報もアラーム通知できるため、出発地点での乗り遅れ防止だけでなく、乗換地点や目的地点での乗り過ごし防止にアラーム機能を利用することができる。
【００９３】
また、複数の時刻情報のうちの任意の時刻情報をアラーム時刻として設定することができる他、自動設定されたアラーム時刻をユーザが任意に変更することができるので、必要な時刻を事前に通知させることができ、乗り遅れや乗り過ごしをより効果的に防止することができる。
【００９４】
上記実施形態は一例であり、本発明の適用範囲はこれに限られない。すなわち、種々の応用が可能であり、あらゆる実施の形態が本発明の範囲に含まれる。
【００９５】
上記実施形態では、鉄道路線の経路検索サービスに本発明を適用した例を示したが、端末装置のアラーム機能に利用可能な時刻情報を提供するサービスであれば、種々のサービスに本発明を適用してもよい。すなわち、鉄道以外の経路検索サービスに適用可能であることはもとより、例えば、時刻による予約をインターネットでおこなう予約サービスなどに本発明を適用してもよい。
【００９６】
上記実施形態では、アラーム対象とする時刻を、出発駅（出発地点）の出発時刻、乗換駅（乗換地点）および目的駅（目的地点）への到着時刻としたが、どのような時刻情報をアラーム対象とするかは任意であり、目的や用途に応じた好適な時刻情報がアラーム対象となるよう記述してもよい。
【００９７】
また、上記実施形態では、出発駅（出発地点）の出発時刻がデフォルトで指定可能となるものとしたが、いずれの時刻情報をデフォルトとするかは任意である。また、検索結果ページでの表示順に基づいて、デフォルトで指定可能な時刻情報を特定したが、デフォルトの時刻情報を特定する方法はこれに限らず任意である。例えば、検索結果ページなどに含まれている複数のアラームタグのそれぞれを識別するための情報やアラームタグ間の序列を示す情報、あるいは、記述されている時刻情報の種別を示す情報などを属性として付加できるようアラームタグの記述書式を設定し、この属性情報に基づいてデフォルト対象を特定するようにしてもよい。また、デフォルトで指定可能となる時刻情報を設定しなくてもよい。
【００９８】
上記実施形態では、端末装置（移動体通信端末１００）のアラーム機能と連動させる時刻情報を、ＨＴＭＬなどの汎用言語に基づくタグコマンド（アンカータグ）を用いて記述するものとしたが、端末装置のアラーム機能で利用可能となる方法であれば、任意の方法で時刻情報を記述してもよい。すなわち、既存の言語やコマンド体系を利用して記述することができる他、専用のコマンドを設定して記述してもよい。
【００９９】
なお、上記実施形態では、アラーム音の報音をアラーム動作としたが、時刻に基づいてユーザに通知するものであれば、種々の方法（例えば、バイブレータ機能など）が本発明にかかるアラーム機能の動作に含まれるものとする。
【０１００】
また、上記実施形態では、設定されたアラーム時刻をユーザが調整（変更）可能であるものとしたが、事前通知にすることを予め設定しておくことで、アラーム設定変更処理をおこなわずに、自動的に所定の事前通知時刻に設定するようにしてもよい。この場合、自動的に事前通知に設定する旨や事前通知時間などをアラーム設定情報として予めアラーム設定格納部１６１に格納しておき、アラーム処理部１１３がアラーム設定処理をおこなう際に、引数として取得した時刻情報を、設定情報に基づいて変更してアラーム設定格納部１６１に格納すればよい。
【０１０１】
上記実施形態では、本発明にかかる端末装置を移動体通信端末で実現した場合を例示したが、サービス提供装置２００にアクセスして通信する通信機能や、設定された時刻情報に基づいてアラーム動作をおこなうアラーム機能を有するものであれば、移動体通信端末に限らず、任意の端末装置に本発明を適用することができる。この場合、例えば、ＰＤＡ（Personal Data Assistance：携帯情報端末）やパーソナルコンピュータなどといった端末装置に本発明を適用してもよい。
【０１０２】
なお、上述した移動体通信端末１００のように、本発明にかかる端末装置の各機能を予め備えている装置として提供できることはもとより、これらの機能を備えていない装置にプログラムを適用することで、本発明にかかる端末装置として機能させることもできる。この場合、少なくとも、通信ネットワークを介した通信をおこなう通信機能と、設定された時刻情報に基づいてアラーム動作をおこなうアラーム機能を備えた端末装置に、上述した移動体通信端末１００の各処理を実行させるためのプログラムを適用し、当該端末装置を制御するコンピュータ（ＣＰＵなど）がそのプログラムを実行することで、本発明にかかる端末装置として機能させることができる。
【０１０３】
また、同様に、プログラムの適用によって、例えば、パーソナルコンピュータなどといった汎用コンピュータ装置を、上記実施形態にかかるサービス提供装置２００として機能させることもできる。この場合も、上述したサービス提供装置２００の各機能を実行させるためのプログラムを汎用コンピュータ装置に適用して実行することで、本発明にかかるサービス提供装置として機能させることができる。
【０１０４】
このようなプログラムの適用方法は任意であり、例えば、インターネットなどの通信媒体を介して提供することで任意の装置に適用できる他、所定の記録媒体（例えば、メモリカード、ＣＤ−ＲＯＭ、ＤＶＤ、など）にプログラムを格納して配布することでも適用可能である。
【図面の簡単な説明】
【０１０５】
【図１】本発明の実施形態にかかるアラーム設定支援システムを模式的に示す図である。
【図２】図１に示す移動体通信端末の構成を示すブロック図である。
【図３】図１に示すサービス提供装置の構成を示すブロック図である。
【図４】本発明の実施形態にかかるサービス利用処理とサービス提供処理を説明するためのフローチャートである。
【図５】図４に示すサービス利用処理において実行されるアラーム設定処理を説明するためのフローチャートである。
【図６】図５に示すアラーム設定処理において実行されるアラーム設定変更処理を説明するためのフローチャートである。
【図７】図４に示すサービス提供処理で作成される検索結果ページでの時刻情報の記述例を説明するための図である。
【図８】本発明の実施形態にかかる検索結果ページの画面表示例を示す図であり、（ａ）は、デフォルトの時刻情報が指定可能に表示された場合の画面表示例を示し、（ｂ）は、ユーザ操作に応じて選択された時刻情報が指定可能に表示された場合の画面表示例を示す。
【図９】本発明の実施形態にかかる画面表示例を示す図であり、（ａ）は、図６に示すアラーム設定変更処理で表示されるアラーム時刻調整画面の画面表示例を示し、（ｂ）は、図５に示すアラーム設定処理で表示される設定確認画面の画面表示例を示す。
【符号の説明】
【０１０６】
１…アラーム設定支援システム、１０…移動体通信網、２０…ゲートウェイ（ＧＷ）、３０…基地局、４０…ＩＰ網、１００…移動体通信端末、１１０…制御部、１１１…ウェブブラウザ部、１１２…通話処理部、１１３…アラーム処理部、１２１…無線通信部、１２２…アンテナ、１２３…データ通信制御部、１２４…音声通信制御部、１３１…操作部、１３２…操作制御部、１４１…表示制御部、１４２…表示部、１５０…音声処理部、１５１…スピーカ、１５２…マイクロフォン、１６０…記憶部、１６１…アラーム設定格納部、２００…サービス提供装置、２１０…通信部、２２０…経路情報データベース、２３０…データベース検索部、２４０…時刻情報抽出部、２５０…ページ作成部
【図１】
2007081693.tif 000003
【図２】
2007081693.tif 000004
【図３】
2007081693.tif 000005
【図４】
2007081693.tif 000006
【図５】
2007081693.tif 000007
【図６】
2007081693.tif 000008
【図７】
2007081693.tif 000009
【図８】
2007081693.tif 000010
【図９】
2007081693.tif 000011